(57)【要約】  本発明は、合成樹脂シートを備える金属タンクに関し、合成樹脂シートと、第１金属プレートと、保温材とが順次に積層され、前記タンク本体の底面を形成するようにそれぞれ取り付けられる複数個の第１ユニットパネルと、前記第１ユニットパネルの縁部とそれぞれ対応して取り付けられ、合成樹脂シートと、第１金属プレートと、保温材と、第２金属プレートとが順次に積層され、前記タンク本体の側面及び上部面を形成するようにそれぞれ取り付けられる複数個の第２ユニットパネルを備えるタンク本体と；前記第１ユニットパネルの縁と前記タンク本体の天井面をなす第２ユニットパネルの縁に両端部が提供される複数個の支柱補強材と；前記タンク本体の側面をなす前記第２ユニットパネルの対向する縁に両端部が提供され、前記支柱補強材と一部分が溶接される複数個の梁補強材と；それぞれ隣接する前記ユニットパネルのそれぞれ対応する縁を前記タンク本体の外部に締結するように提供される締結手段から構成される。なお、高価なステンレススチールを使用しなくても、人体に無害で、且つ耐久性に優れ、防水性が良好な金属タンクを実現するとともに、第２金属プレートにカラー鋼板を使用することで、別の溶融メッキや塗装が不要であるので、生産性が良好となる効果がある。
2008518849.tif 000002
【特許請求の範囲】
【請求項１】
複数個のユニットパネルからなる金属材質のタンク本体と、前記タンク本体の上部とそれぞれ連通される流入管及びオーバーフロー管と、前記金属タンクの下部とそれぞれ連通される排出管及びドレイン管と、前記タンク本体の外壁に取り付けられる梯子を備える金属タンクにおいて、
合成樹脂シートと、第１金属プレートと、保温材とが順次に積層され、前記タンク本体の底面を形成するようにそれぞれ取り付けられる複数個の第１ユニットパネルと、前記第１ユニットパネルの縁部とそれぞれ対応して取り付けられ、合成樹脂シートと、第１金属プレートと、保温材と、第２金属プレートとが順次に積層され、前記タンク本体の側面及び上部面を形成するようにそれぞれ取り付けられる複数個の第２ユニットパネルを備えるタンク本体と；
前記第１ユニットパネルの縁と前記タンク本体の天井面をなす第２ユニットパネルの縁に両端部が提供される複数個の支柱補強材と；
前記タンク本体の側面をなす前記第２ユニットパネルの対向する縁に両端部が提供され、前記支柱補強材と一部分が溶接される複数個の補強材と；
それぞれ隣接する前記ユニットパネルのそれぞれ対応する縁を前記タンク本体の外部に締結するように提供される締結手段を有しており、
前記合成樹脂シートの材質はポリエチレンであり、
前記第１金属プレート、前記保温材、前記第２金属プレートの材質は、各々トタン、フォーム状のウレタン、塗装カラー鋼板であることを特徴とする合成樹脂シートを備える金属タンク。
【請求項２】
前記締結手段は、
隣接する前記ユニットパネルの角部分に配置される締結補強板と、
前記締結補強板の一側面、それぞれ隣接する前記ユニットパネル及び前記締結補強板の他側面を順次に貫通して締結する締結ネジと、
前記締結ネジの端部に締結されるナットを有して構成されることを特徴とする請求項１に記載の合成樹脂シートを備える金属タンク。
【請求項３】
上面プレートと、
前記上面プレートの縁から垂直に折曲され、複数個の締結孔が形成される側面プレートと、
前記上面プレートを貫通して上部及び下部が露出されるように提供される少なくとも一つ以上の管体状の締結用部材を有しており、
前記プレートは、塗装カラー鋼板である第１金属プレートと、前記第１金属プレートの一側面に提供されるフォーム状のウレタン保温材と、前記保温材が内蔵されるように、前記保温材の上部面と前記第１金属プレートの縁部に発泡ポリエチレン合成樹脂シートを備えてなる締結用部材が取り付けられることを特徴とする合成樹脂を備えるユニットパネル。
【請求項４】
前記締結用部材の上部面は、発泡ポリエチレン合成樹脂シートによって密閉される締結用部材が取り付けられることを特徴とする請求項３に記載の合成樹脂を備えるユニットパネル。
【請求項５】
複数個のユニットパネルからなる金属材質のタンク本体と、前記タンク本体の上部とそれぞれ連通される流入管及びオーバーフロー管と、前記タンク本体の下部とそれぞれ連通される排出管及びドレイン管と、前記タンク本体の外壁に取り付けられる梯子を有する金属タンクにおいて、
合成樹脂シートと、第２金属プレートと、保温材とが順次に積層され、前記タンク本体の底面を形成するようにそれぞれ取り付けられる複数個の第１ユニットパネルと、前記第１ユニットパネルの縁部とそれぞれ対応して取り付けられ、合成樹脂シートと、保温材と、第２金属プレートとが順次に積層され、前記タンク本体の側面及び上部面を形成するようにそれぞれ取り付けられる複数個の第２ユニットパネルを備え、前記ユニットパネルを貫通するように提供される上部面が合成樹脂シートによって密閉された管体状の締結用部材を備えるタンク本体と；
前記第１ユニットパネルの縁と前記タンク本体の天井面をなす前記第２ユニットパネルの縁に両端部が提供される複数個の支柱補強材と；
前記タンク本体の側面をなす前記第２ユニットパネルの対向する縁に両端部が提供され、前記支柱補強材と一部分が溶接される複数個の梁補強材と；
それぞれ隣接する前記ユニットパネルの角部に配置され、締結孔が形成される締結補強板と、前記締結補強板の締結孔と、前記締結用部材と、それぞれ対応する補強材の締結孔を順次に貫通する締結ネジと、貫通する前記締結ネジの端部に締結されるナットを含む締結手段を有しており、
前記合成樹脂の材質は発泡ポリエチレンであり、前記第１金属プレート、前記保温材、前記第２金属プレートの材質は、各々トタン、フォーム状のウレタン、塗装カラー鋼板からなる締結用部材が取り付けられることを特徴とする合成樹脂シートを備えるユニットパネルを備える金属タンク。
【発明の詳細な説明】
【技術分野】
【０００１】
本発明は、合成樹脂シートを備える金属タンクに関し、より詳細には、トタン板の一部面に人体に無害なポリエチレンシートを貼り付け、トタン板の他面と金属プレートとの間に、ウレタン樹脂を充填した単位体を所望の容積に対応して複数個締結することで、価格競争力に優れ、且つ耐防水性及び耐久性が良好であるとともに、人体に無害な合成樹脂シートを備える金属タンク及びユニットパネルに関する。
【背景技術】
【０００２】
ゴムライニング（Ｒｕｂｂｅｒ ｌｉｎｉｎｇ）は、他の有機及び無機方式の材料と比較して、耐薬品性、耐磨耗性、高接着性、高信頼性、施工性に優れ、且つ経済的な耐蝕処理や使用中の欠陥部位に対する維持保守が容易なことから、プラスチック工業の目覚しい発展にもかかわらず、産業全般の耐蝕分野では独立的な地位を確保している。
【０００３】
通常、ゴムライニングは、鉄鋼コンクリート及びその他の構造物の寿命を低下させる要因である硫黄酸化物（ＳＯｘ）、窒素酸化物（ＮＯｘ）、その他の有毒ガス等の各種化学薬品に対する耐蝕技術の一つとして、大気汚染防止設備、廃水処理設備、水処理やその他の化学装置などに適用し得る先端の耐蝕方法である。
【０００４】
特に、浄水タンクでは、内部の防水処理のためゴムライニング処理を施す。ゴムライニングは、合成樹脂を塗布して浄水タンクの内部壁面に所定の厚みの厚膜を形成するか、または合成樹脂シートを貼り付けるという２つに分けられる。
【０００５】
一般的に、浄水タンクは、施工性が良好で、且つ価格競争力のあるコンクリート構造物と、金属材質の浄水タンクとに分けられる。
【０００６】
コンクリート構造物の浄水タンクは、コンクリートタンクの内部壁面に防水液が混合されたモルタルを施した後、人体に無害なペイントを塗装して防水処理を行なっているが、コンクリートの膨張及び収縮が繰り返されることによって亀裂が生じるという不具合があり、上述のゴムライニング処理が必ず必要である。さらに、このようなコンクリート構造物の浄水タンクでは、上述したように、コンクリート特有の膨張及び収縮のため、一定の期間ごとにゴムライニングを維持保守しなければならないという短所がある。
【０００７】
そして、金属材質の浄水タンクは、人体に無害なステンレススチールを使用するため、塩素が残留し得るタンクの天井面以外は、タンク槽内部にゴムライニングを別施すことはない。しかしながら、このようなステンレススチール構造の浄水タンクは、原材料のコスト上昇のため価格競争力がないという短所がある。さらに、このようなステンレススチール浄水タンクは、内部の側面及びコーナ部分を補強するため、別の補強アングルを取り付けることとなり、製造コストが上昇するとともに、掃除が難しくなるという不便がある。
【０００８】
このような短所を解決するために、韓国実用新案登録第１３５８０００号（１９９８年１１月６日登録）には、合成樹脂材からなる大型水槽に関して開示されている。この考案の合成樹脂材の大型水槽は、合成樹脂材からなる水槽の内部壁にポリエチレン樹脂を塗布する技術として、コンクリート構造物の構造的な欠陥を解消することは勿論、ステンレススチール構造の浄水タンクに比べて価格競争力が強いという長所はある。しかし、コンクリート構造物またはステンレススチール構造の浄水タンクに比べて外力による耐久性が劣り、特に、静荷重または動荷重の大きな中大型の水槽では、タンクの内部及び外部に特殊の補強が要求されるという問題点がある。
【０００９】
また、他の方法として、ＳＭＣ（Ｓｈｅｅｔ Ｍｏｌｄｉｎｇ Ｃｏｍｐｏｕｎｄ）水槽があり、これは、ステンレススチールまたはスチール系金属プレートに樹脂コートを行なう技術として、衛生性及び耐震性には優れている反面、特殊金型が必要であるため、価格競争力が低いという問題点がある。
【００１０】
従って、現在は、コンクリート構造物のように価格競争力に優れるとともに、ステンレススチール構造のように人体に無害で、且つ維持保守が不要な構造の浄水タンクが要求されている。
【発明の開示】
【発明が解決しようとする課題】
【００１１】
そこで、本発明は上記従来の問題点に鑑みてなされたものであって、本発明の目的は、価格競争力に優れ、且つ防水機能及び耐久性が良好であるとともに、人体に無害な合成樹脂シートを備える金属タンクを提供することである。
【００１２】
また、本発明の他の目的は、保温力を改善し、耐久性が良好な締結用部材が取り付けられる合成樹脂シートを備えるユニットパネル及びそれを備える金属タンクを提供することである。
【課題を解決するための手段】
【００１３】
本発明の目的は、複数個のユニットパネルからなる金属材質のタンク本体と、前記タンク本体の上部とそれぞれ連通される流入管及びオーバーフロー管と、前記金属タンクの下部とそれぞれ連通される排出管及びドレイン管と、前記タンク本体の外壁に取り付けられる梯子を備える金属タンクにおいて、合成樹脂シートと、第１金属プレートと、保温材とが順次に積層され、前記タンク本体の底面を形成するようにそれぞれ取り付けられる複数個の第１ユニットパネルと、前記第１ユニットパネルの縁部とそれぞれ対応して取り付けられ、合成樹脂シートと、第１金属プレートと、保温材及び第２金属プレートとが順次に積層され、前記タンク本体の側面及び上部面を形成するようにそれぞれ取り付けられる複数個の第２ユニットパネルを備えるタンク本体と；前記第１ユニットパネルの縁と前記タンク本体の天井面をなす第２ユニットパネルの縁に両端部が提供される複数個の支柱補強材と；前記タンク本体の側面をなす前記第２ユニットパネルの対向する縁に両端部が提供され、前記支柱補強材と一部分が溶接される複数個の補強材と；それぞれ隣接する前記ユニットパネルのそれぞれ対応する縁を前記タンク本体の外部に締結するように提供される締結手段を有しており、前記合成樹脂シートの材質は、ポリエチレンであり、前記第１金属プレート、前記保温材、前記第２金属プレートの材質は、各々トタン、フォーム状のウレタン、塗装カラー鋼板である合成樹脂シートを備える金属タンクによって達成される。
【００１４】
好ましくは、本発明の前記締結手段は、隣接する前記ユニットパネルの角部分に配置される締結補強板と、前記締結補強板の一側面、それぞれ隣接する前記ユニットパネル及び前記締結補強板の他側面を順次に貫通して締結する締結ネジと、前記締結ネジの端部に締結されるナットを有して構成される。
【００１５】
また、本発明の目的は、上面プレートと、前記上面プレートの縁から垂直に折曲され、複数個の締結孔が形成される側面プレートと、前記上面プレートを貫通して上部及び下部が露出されるように提供される少なくとも一つ以上の管体状の締結用部材を有しており、前記プレートは、塗装カラー鋼板である第１金属プレートと、前記第１金属プレートの一側面に提供されるフォーム状のウレタン保温材と、前記保温材が内蔵されるように、前記保温材の上部面と前記第１金属プレートの縁部に発泡ポリエチレン合成樹脂シートを備えてなる締結用部材が取り付けられる合成樹脂シートを備えるユニットパネルによって達成される。
【００１６】
好ましくは、本発明の前記締結用部材の上部面には、発泡ポリエチレン合成樹脂シートによって密閉されることを特徴とする締結用部材が取り付けられる。
【００１７】
また、本発明の目的は、複数個のユニットパネルからなる金属材質のタンク本体と、前記タンク本体の上部とそれぞれ連通される流入管及びオーバーフロー管と、前記金属タンクの下部とそれぞれ連通される排出管及びドレイン管と、前記タンク本体の外壁に取り付けられる梯子を有する金属タンクにおいて、合成樹脂シートと、第２金属プレートと、保温材とが順次に積層され、前記タンク本体の底面を形成するようにそれぞれ取り付けられる複数個の第１ユニットパネルと、前記第１ユニットパネルの縁部とそれぞれ対応して取り付けられ、合成樹脂シートと、保温材と、第２金属プレートとが順次に積層され、前記タンク本体の側面及び上部面を形成するようにそれぞれ取り付けられる複数個の第２ユニットパネルを備え、前記ユニットパネルを貫通するように提供される上部面が合成樹脂シートによって密閉された管体状の締結用部材を含むタンク本体と；前記第１ユニットパネルの縁と前記タンク本体の天井面をなす第２ユニットパネルの縁に両端部が提供される複数個の支柱補強材と；前記タンク本体の側面をなす前記第２ユニットパネルの対向する縁に両端部が提供され、前記支柱補強材と一部分が溶接される複数個の梁補強材と；それぞれ隣接する前記ユニットパネルの角部分に配置され、締結孔が形成される締結補強板と；前記締結補強板の締結孔と前記締結用部材とそれぞれ対応する補強材の締結孔を順次に貫通する締結ネジと、貫通した前記締結ネジの端部に締結されるナットを含む締結手段を有しており、前記合成樹脂の材質は、発泡ポリエチレンであり、前記第１金属プレート、前記保温材、前記第２金属プレートの材質は、各々トタン、フォーム状のウレタン、塗装カラー鋼板からなる締結用部材が取り付けられる合成樹脂シートを備えるユニットパネルを備える金属タンクによって達成される。
【発明の効果】
【００１８】
上述の構成を有する本発明の第一の実施例によれば、高価なステンレススチールを使用しなくても、人体に無害で、且つ耐久性に優れ、防水性が良好な金属タンクを実現できるとともに、第２金属プレートとして塗装カラー鋼板を使用することで、別の溶融メッキや塗装が不要であるので、生産性が良好となる効果がある。
【００１９】
また、この実施例は、ステンレススチール構造の浄水タンクやＳＭＣタンクとは異なって、内部に別の補強を施さないので、製造コストを節減でき、内部の掃除が容易な特徴を有する。
【００２０】
さらに、この実施例は、タンクの内部に一切の溶接が行なわれないため、作業生産性に優れ、浄水タンクのように、作業上の衛生が特に要求されるタンク作業に非常に有利であるという利点がある。
【００２１】
本発明の他の実施例によれば、接着剤を使用することなくポリエチレンを発泡することで、界面剥離を根本的に防止し、耐久性を改善するとともに、締結用部材によって保温材が圧縮されるのを防止して、好適な保温を実現できるという効果がある。
【００２２】
また、この発明の実施例によれば、金属タンクの第２ユニットパネルの第１金属プレートを使用しないため、製造コストを削減できるという利点がある。
【発明を実施するための最良の形態】
【００２３】
以下、図面を参照して本発明の合成樹脂シートを備える金属タンク及びユニットパネルを詳細に説明する。
【００２４】
図１は、本発明の第１実施形態に係る合成樹脂シートを備える金属タンクの一部分を切開して示す斜視図であり、図２は、本発明による金属タンクの一部を示す断面図である。
【００２５】
図１及び図２に示すように、本発明による金属タンクは、コンクリート材質のそれぞれ離隔したパッド部２００の上部面に提供される基盤プレート３００に安着される構造を有している。
【００２６】
本発明による金属タンクは、底面をなす複数個の第１ユニットパネル１０ａと、側面及び上部面をなす第２ユニットパネル１０ｂからなるタンク本体１０と、このタンク本体１０の上部にそれぞれ連通される流入管４０、オーバーフロー管６０及びエアーベント８０と、タンク本体１０の下部にそれぞれ連通されるドレイン管７０及び排出管５０から構成され、タンクの使用、内部掃除及び維持保守のため、第２ユニットパネル１０ｂの外側面に梯子９０が取り付けられている。
【００２７】
ここで、流入管４０とエアーベント８０は、タンク本体１０の上部面をなす第２ユニットパネル１０ｂの上部面に連通されており、オーバーフロー管６０は、タンク本体１０の側面をなす第２ユニットパネル１０ｂの上部側面に連通されている。
【００２８】
そして、ドレイン管７０は、第１ユニットパネル１０ａと連通されており、排出管５０は、タンク本体１０の側面をなす第２ユニットパネル１０ｂの下部側面に連通されている。
【００２９】
第１及び第２ユニットパネル１０ａ、１０ｂの縁は、外側方向に折曲されており、それぞれ隣接するユニットパネル１０ａ、１０ｂは、折曲される面が互いに相接して位置し、締結手段３０によってタンク本体１０の外側方向に締結される。
【００３０】
本発明は、タンク本体１０を補強するため、タンク本体１０の内部にそれぞれ支柱及び梁補強材２２、２４、２６が複数個取り付けられる。
【００３１】
支柱補強材２２は、隣接してそれぞれ一体に締結される複数個の第１ユニットパネル１０ａの縁と、タンク本体１０の上部面を形成し、隣接してそれぞれ一体に締結される天井面をなす複数個の第２ユニットパネル１０ｂの縁との間に、両端部がそれぞれ離隔して取り付けられている。ここで、支柱補強材２２は、ユニットパネル１０ａ、１０ｂの角に取り付けられるのが望ましい。
【００３２】
梁補強材２４、２６は、タンク本体１０の側面を形成し、隣接してそれぞれ一体に締結される対向する複数個の第２ユニットパネル１０ｂの縁の間に両端部がそれぞれ離隔して取り付けられている。ここで、梁補強材２４、２６は、第２ユニットパネル１０ｂの角に取り付けられるのが望ましい。
【００３３】
図３乃至図６は、図１の要部を示す断面図である。
【００３４】
図３乃至図６に示すように、本発明による金属タンクは、合成樹脂シート１１、第１金属プレート１３、保温材１５が順次に積層される第１ユニットパネル１０ａと、合成樹脂シート１１、第１金属プレート１３、保温材１５、第２金属プレート１７が順次に積層される第２ユニットパネル１０ｂから構成されている。
【００３５】
ここで、合成樹脂シート１１の材質は、人体に無害なポリエチレン（Ｐ．Ｅ）として、浄水タンクに使用するのに特に適している。
【００３６】
そして、第１金属プレート１３は、高価なステンレススチールを代替するためにトタン材質を使用し、第２金属プレート１７は、上述のように、高価なステンレススチールを代替するとともに、別の塗装などを必要としないカラー鋼板である。
【００３７】
また、保温材１５は、フォーム状のウレタンとして緩衝性、保温性及び耐震性に優れるという特徴がある。
【００３８】
各構成要素の厚みは、保温材１５、合成樹脂シート１１、第１金属プレート１３、第２金属プレート１７の順に厚みが薄くなるように構成されることが望ましい。
【００３９】
本発明による第１及び第２ユニットパネル１０ａ、１０ｂの合成樹脂シート１１と第１金属プレート１３との間の界面には、接着剤１２が塗布されて完全に密着して接着されている。
【００４０】
ここで、締結手段３０は、上述のように、タンク本体１０の外側でそれぞれ隣接するユニットパネル１０ａ、１０ｂの折曲される縁部を締結している。締結手段３０は、それぞれ相接するユニットパネル１０ａ、１０ｂの角部分に挿入されて配置される締結補強板３０ａと、締結補強板３０ａの一側面とユニットパネル１０ａ、１０ｂの折曲される縁及び締結補強板３０ａの他側面を貫通する締結ネジ３０ｂと、締結ネジ３０ｂの端部に締結されるナット３０ｃから構成されている。
【００４１】
図７は、本発明の第２実施形態に係る締結用部材が取り付けられる合成樹脂シートを備えるユニットパネルを示す斜視図であり、図８は、図７のＶＩＩＩ−ＶＩＩＩ線断面図である。
【００４２】
図７及び図８に示すように、本発明によるユニットパネル５００は、上面プレート５１０と、上面プレート５１０の四角面から垂直に折曲される側面プレート５２０と、上面プレート５１０を貫通して提供される複数個の締結用部材５５０を有して構成されている。
【００４３】
上面プレート５１０は、中心部分が下側方向に凹んでいる凹入部が形成されており、上述のように、角部分に締結用部材５５０が提供される。
【００４４】
側面プレート５２０は、複数個の締結孔５３２が長手方向に沿って形成されている。
【００４５】
本発明によるユニットパネル５００の断面構造は、合成樹脂シート５６１と保温材５６３及び第２金属プレート５６５が順次に積層される構造を有する。そして、ユニットパネル５００は、上面プレート５１０を貫通するように、管体状の複数個の締結用部材５５０が提供される。
【００４６】
ここで、合成樹脂シート５６１、保温材５６３、第２金属プレート５６５の材質は、各々ポリエチレン、フォーム状のウレタン、塗装カラー鋼板である。
【００４７】
特に、本発明の合成樹脂シート５６１は、接着剤１２（図３乃至図６参照）使用による界面剥離を根本的に防止するため、保温材５６３の上部面及び第２金属プレート５６５の縁部に発泡されている。
【００４８】
そして、締結用部材５５０は、後述する締結手段６３０で補強材６２２(６２４;６２６)（図１０参照）とユニットパネル５００と締結する際に、保温材５６３が圧縮されて保温力が低下するのを根本的に防止するために提供するもので、これについては後述する。ここで、締結用部材５５０としては、金属材質、または強度及び硬度に優れた合成樹脂材質の剛性体が好適である。
【００４９】
本発明による締結用部材５５０の提供により、本発明のユニットパネル５００は、第１実施形態の合成樹脂シート１１と保温材１５との間に間に介在される第１金属プレート１３が不要であるので、材料の無駄を最小化し、製造コストを節減できるという特徴がある。
【００５０】
締結用部材５５０は、本発明によるユニットパネル５００の第２金属プレート５６５の貫通孔（図示せず）に嵌め入れられたり、貫通孔に挿入された外周縁が溶接されて一体に形成されている。
【００５１】
本発明の締結用部材５５０は、上部面が発泡合成樹脂シート５６１によって閉鎖されている。これは、締結用部材５５０の上部面と下部面が完全開放される貫通構造である場合は、補強の際に防水を実現するため、別に防水介在物を必要とするからである。即ち、本発明は、発泡合成樹脂シート５６１によって締結用部材５５０の上部面を閉鎖する構造であるので、別に防水介在物がなくても、締結する際に（施工時）完璧な防水を実現することができる。
【００５２】
また、本発明の締結用部材５５０の下部面は、図８に示すように、開放されているが、これに限らず、補強の有無によって閉鎖されてもよい。
【００５３】
図９は、本発明による合成樹脂シートを備える金属タンクの一部分を切開して示す斜視図である。
【００５４】
図９に示すように、本発明による金属タンクは、コンクリート材質のそれぞれ離隔したパッド部７００の上部面に提供される基盤プレート８００に安着される構造を有する。
【００５５】
本発明による金属タンクは、底面をなす複数個の第１ユニットパネル５００ａと、側面及び上部面をなす第２ユニットパネル５００から構成されるタンク本体６００と、このタンク本体６００の上部にそれぞれ連通される流入管６４０、オーバーフロー管６６０及びエアーベント６８０と、タンク本体６００の下部にそれぞれ連通されるドレイン管６７０及び排出管６５０から構成され、タンクの使用、内部掃除及び維持保守のため、第２ユニットパネル５００の外側面に梯子６９０が取り付けられている。
【００５６】
ここで、流入管６４０とエアーベント６８０は、タンク本体６００の上部面をなす第２ユニットパネル５００の上部面に連通されており、オーバーフロー管６６０は、タンク本体６０の側面をなす第２ユニットパネル５００の上部側面に連通されている。そして、ドレイン管６７０は、第１ユニットパネル５００aと連通されており、排出管６５０は、タンク本体６００の側面をなす第２ユニットパネル５００の下部側面に連通されている。
【００５７】
そして、第１及び第２ユニットパネル５００ａ、５００の縁は、外側方向に折曲されており、それぞれ隣接するユニットパネル５００ａ、５００は折曲される面が互いに相接して位置し、締結手段６３０によってタンク本体６００の外側方向に締結される。
【００５８】
さらに、本発明は、タンク本体６０を補強するため、タンク本体６０の内部にそれぞれ支柱及び梁補強材６２２、６２４、６２６が複数個取り付けられている。
【００５９】
支柱補強材６２２は、隣接してそれぞれ一体に締結される複数個の第１ユニットパネル５００ａの縁と、タンク本体６００の上部面を形成し、隣接してそれぞれ一体に締結される天井面をなす複数個の第２ユニットパネル５００の縁との間に、両端部がそれぞれ離隔して取り付けられている。ここで、支柱補強材６２２は、ユニットパネル５００ａ、５００の角に取り付けられるのが望ましい。
【００６０】
梁補強材６２４、６２６は、タンク本体６００の側面を形成し、隣接してそれぞれ一体に締結される対向する複数個の第２ユニットパネル５００の縁の間に、両端部がそれぞれ離隔して取り付けられている。ここで、梁補強材６２４、６２６は、第２ユニットパネル５００の角に取り付けられるのが望ましい。
【００６１】
図１０は、本発明によるユニットパネルと補強材の締結部分を拡大示した断面図である。
【００６２】
図１０に示すように、本発明は、締結用部材５５０が取り付けられるユニットパネル５００を提供して、締結手段６３０によるユニットパネル５００とそれぞれ対応する補強材６２２、６２４、６２６相互間の締結において、ユニットパネル５００自体が圧縮されないようにすることで、第１実施形態の保温材１３（図３乃至図６参照）の圧縮によって保温力が低下するのを根本的に防止する。
【００６３】
まず、締結手段６３０は、それぞれ隣接するユニットパネルの角部分に配設され、締結孔（図示せず）が形成される締結補強板６３０ａと、締結補強板６３０ａの締結孔に挿通される締結ネジ６３０ｂと、貫通する締結ネジ６３０ｂの端部に締結されるナット６３０ｃから構成される。
【００６４】
ここで、ユニットパネル５００の断面構造及び構成は、図７及び図８で説明したので、詳細な構成に関する説明は省略することにする。
【００６５】
次に締結関係について説明する。締結ネジ６３０ｂは、締結補強板６３０ａの締結孔と、締結用部材５５０の貫通孔、及び補強材６２２、６２４、６２６の締結孔（図示せず）を順次に貫通し、貫通端部がナット６３０ｃによって強く締結されている。
【００６６】
ここで、図５に示すように、締結用部材５５０の締結孔の上部面は、合成樹脂シート５６１によって閉鎖された状態で、締結ネジ６３０ｂが合成樹脂シート５６１を貫いて、締結用部材５５０の締結孔を貫通するもので、上述の合成樹脂シート５６１は、シールのためのパッキングのような機能を有する。
【００６７】
本発明の構成は、締結手段６３０でユニットパネル５００と補強材６２２、６２４、６２６相互間の締結の際に、剛性体の締結用部材５５０がユニットパネル５００が圧縮されないように支持する構造を有するため、第１実施形態の保温材１３（図３乃至図６参照）の圧縮による保温力の低下を根本的に防止できるという特徴がある。
【００６８】
なお、本実施形態では第２ユニットパネル５００についてのみ説明したが、第１ユニットパネル５５０ａにも同様に適用できるので、これに関する詳細な説明は省略する。但し、第１及び第２ユニットパネル５００ａ、５００の違いは、断面構造にある（図１３参照）。
【００６９】
図１１は、図９の金属タンクの一部を示す図であり、図１２及び図１３は、図１１のＡ−１及びＢ−１を拡大示した断面図である。
【００７０】
図１１乃至図１３に示すように、本発明による金属タンクは、合成樹脂シート５６１、第１金属プレート５６７、保温材５６３が順次に積層される第１ユニットパネル５００ａと、合成樹脂シート５６１、保温材５６３及び第２金属プレート５６５が順次に積層される第２ユニットパネル５００から構成される。
【００７１】
ここで、合成樹脂シート５６１の材質は、人体に無害な発泡ポリエチレン（Ｐ．Ｅ）として、浄水タンクに使用するのに特に好適である。
【００７２】
そして、第１金属プレート５６７は、高価なステンレススチールを代替するためにトタン材質を使用し、第２金属プレート５６３は、上述のように、高価なステンレススチールを代替すると同時に、別の塗装などを必要としないカラー鋼板である。
【００７３】
また、保温材５６３は、フォーム状のウレタンとして、緩衝性、保温性及び耐震性に優れるという特徴がある。
【００７４】
さらに、各構成要素の厚みは、保温材５６３、合成樹脂シート５６１、第１金属プレート５６７、第２金属プレート５６５の順に薄くなるように構成するのが望ましい。
【産業上の利用可能性】
【００７５】
本発明は、トタン板の一部面に人体に無害なポリエチレンシートを貼り付け、トタン板の他面と金属プレートとの間にウレタン樹脂を充填した単位体を所望の容積に対応して複数個締結することで、価格競争力に優れ、且つ耐防水性及び耐久性が良好であるとともに、人体に無害な合成樹脂シートを備える金属タンク及びユニットパネルを提供することができる。
【００７６】
以上、本発明の好ましい実施形態について詳細に説明したが、本発明の権利範囲はこれに限定されず、請求の範囲で定義している本発明の基本概念を利用した当業者の多様な変形及び改良形態も本発明の権利範囲に属するものである。
【図面の簡単な説明】
【００７７】
【図１】本発明の第１実施形態に係る合成樹脂シートを備える金属タンクの一部分を切開して示す斜視図。
【図２】本発明による金属タンクの一部を示す断面図。
【図３】図１の要部を示す断面図。
【図４】図１の要部を示す断面図。
【図５】図１の要部を示す断面図。
【図６】図１の要部を示す断面図。
【図７】本発明の第２実施形態に係る締結用部材が取り付けられる合成樹脂シートを備えるユニットパネルを示す斜視図。
【図８】図７のＶＩＩＩ−ＶＩＩＩ線断面図。
【図９】図７のユニットパネルを備える金属タンクの一部分を切開して示す斜視図である。
【図１０】本発明によるユニットパネルと補強材の締結部分の拡大断面図である。
【図１１】図９の金属タンクの一部を示す断面図である。
【図１２】図１０のＡ−１部分を拡大して示す断面図。
【図１３】図１０のＢ−１部分を拡大して示す断面図。
【図１】
2008518849.tif 000003
【図２】
2008518849.tif 000004
【図３】
2008518849.tif 000005
【図４】
2008518849.tif 000006
【図５】
2008518849.tif 000007
【図６】
2008518849.tif 000008
【図７】
2008518849.tif 000009
【図８】
2008518849.tif 000010
【図９】
2008518849.tif 000011
【図１０】
2008518849.tif 000012
【図１１】
2008518849.tif 000013
【図１２】
2008518849.tif 000014
【図１３】
2008518849.tif 000015
【国際調査報告】
2008518849.tif 000016
2008518849.tif 000017